【事件の表示】
　平成１０年特許願第３４５３５０号「遊技機」拒絶査定不服審判事件〔平成１２年　６月２０日出願公開、特開２０００−１６７２１３〕について、次のとおり審決する。
【結　論】
　本件審判の請求は、成り立たない。
【理　由】
１． 手続きの経緯、本願発明  
 　本願は、平成１０年１２月４日の出願であって、平成１２年１０月２４日付で拒絶理由が通知され、平成１２年１２月８日付で手続補正がなされ、平成１３年２月１９日付けで拒絶査定がなされ、平成１３年３月２７日付けで拒絶査定に対する審判請求がなされ、平成１３年４月２６日付で手続補正がなされ、平成１７年５月２４日付で当審より拒絶理由が通知され、平成１７年７月２９日付で手続補正がなされたものであり、その請求項１に係る発明（以下、「本願発明」という。）は、平成１７年７月２９日付けの手続補正書の特許請求の範囲の請求項１に記載された次のとおりのものである。 
 　　　　　　　　　　　　　　　　　　　 
「　遊技の進行を制御する主制御手段（１）、この主制御手段（１）からの制御信号を入力して制御対象となる出力手段（２０）を作動させる周辺手段（２）、これら主制御手段（１）と周辺手段(２)とを結ぶ制御信号伝達手段（３）を含む遊技機において、
　前記制御信号伝達手段（３）により送られてくる、前記出力手段（２０）を作動させるための制御信号を外部に取り出す制御信号取出手段（４）を備え、この制御信号取出手段（４）により、前記制御信号伝達手段（３）の前記周辺手段（２）に対する接続点における前記制御信号を取り出すようにしたことを特徴とする遊技機。」
　　　　　　　　　　　　　　　　　　　
２．引用例に記載された発明  
　これに対して、当審による拒絶理由で引用された特開平９−２８５６１０号公報（以下、「引用例」という。）には、図面とともに、以下の記載がある。  
　　　　　　　　　　　　　　　　　　　　
（記載事項ａ）
 「表示制御手段の制御に基づいて識別情報を可変表示すると共に、該識別情報が予め定めた特定表示結果になると特定遊技状態を発生し得る可変表示装置を備えた遊技機において、前記表示制御手段から前記可変表示装置への表示制御信号の出力状態を監視する信号監視手段と、該信号監視手段が前記表示制御信号の遮断を検出するとこれに基づいて所定の遊技制御を停止させる遊技制御停止手段と、を備えたことを特徴とする遊技機。」（請求項１）
　　　　　　　　　　　　　　　　　　　　
（記載事項ｂ） 
 「本発明は、上記した事情に鑑みなされたもので、その目的とするところは、表示制御手段（遊技制御基板）から可変表示装置に出力される表示制御信号の遮断に伴うトラブルを回避し得る遊技機を提供することにある。」（段落【０００３】） 
　　　　　　　　　　　　　　　　　　　　　　　
（記載事項ｃ）
 「前記信号監視手段が複数の可変表示装置（特別図柄表示器３５及びＬＣＤ表示器３３）のうちいずれかに対して前記表示制御信号の遮断検出を行う」（段落【００１５】）  
　　　　　　　　　　　　　　　　　　　　
（記載事項ｄ）
「　以上、可変表示装置３０を含むパチンコ遊技機の遊技盤１の構成について説明してきたが、それらの遊技装置は、図２及び図３に示す遊技制御回路によって制御される。図２及び図３は、遊技制御回路をブロック構成で示す回路図であり、ＭＰＵ、ＲＯＭ、ＲＡＭ、入出力回路を含む基本回路６０によって制御されている。しかして、基本回路６０は、入力回路６１を介して始動玉検出器７、通過玉検出器１０、特定玉検出器１７、入賞玉検出器１８からの検出信号が入力され、アドレスデコード回路６２から基本回路６０にチップセレクト信号が与えられる。また、電源投入時に初期リセット回路６３から基本回路６０にリセット信号が与えられ、所定時間毎に定期リセット回路６４から基本回路６０に定期リセット信号が与えられる。
　一方、基本回路６０からは、以下の装置及び回路に制御信号が与えられる。即ち、ＬＣＤ回路６４を介してＬＣＤ表示器３３（図２中には、ＬＣＤ表示装置と記載）に表示制御信号が与えられ、ＬＥＤ回路６５を介して普通図柄表示器３６、回数表示器２０、個数表示器２１、普通図柄記憶表示ＬＥＤ３７、特別図柄記憶表示ＬＥＤ４１、及び各種ＬＥＤ１１・１９・４２・４３に表示駆動信号が与えられ、ソレノイド回路６６を介して各ソレノイド５・１５に駆動信号が与えられ、ランプ回路６７を介して飾りランプ２２、風車ランプ２４ａ、及びサイドランプ２５ａに表示制御信号が与えられ、音声合成回路６８及び音量増幅回路６９を介してスピーカ２８に音声信号が与えられる。なお、ランプ回路６７からは各種のランプ制御データが出力されることで、上記した構成部材以外のランプを表示制御するようになっている。さらに、基本回路６０は、情報出力回路７０を介して外部（ホールコンピュータや呼び出しランプ等）に有効始動情報、大当り情報、及び確変変動情報を出力し、賞球個数信号出力回路７１を介して外部に各種の賞球個数信号を出力している。また、基本回路６０には、特別図柄表示器３５に表示制御信号を出力するための特別図柄出力回路７２と、該特別図柄出力回路７２及び特別図柄表示器３５間の断線を監視するための断線監視入力回路７３と、が接続して設けられている。なお、上記した装置や回路には、電源回路７２から各種の電圧を有する電力が供給されている。 
　次に、上記した特別図柄出力回路７２及び断線監視入力回路７３による各種制御動作を図４乃至図７を参照して説明する。先ず、特別図柄表示器３５と特別図柄出力回路７２及び断線監視入力回路７３との間に配される各種構成部材を図４に基づいて説明する。特別図柄出力回路７２は、図４に示すように、プラス極出力端子ａ〜ｃとマイナス極出力端子１〜７とを有するコネクタ８０を備え、該コネクタ８０を介して特別図柄表示器３５に接続されている。プラス極出力端子ａ〜ｃと、これに対応する特別図柄出力回路７２側の配線Ａ〜Ｃとの間には、右・中・左の７セグメントＬＥＤ３５ｃ・３５ｂ・３５ａへの出力を順次スイッチングするためのスイッチングトランジスタ８１ａ〜８１ｃが設けられ、マイナス極出力端子１〜７と、これに対応する特別図柄出力回路７２側の配線Ｄ〜Ｊとの間には、特別図柄表示器３５の７セグメントを任意に点灯制御するためのスイッチングトランジスタ８１ｄ〜８１ｊと電流制限抵抗８２とが設けられている。また、断線監視入力回路７３とマイナス極出力端子７との間には、前記コネクタ８０の抜けに起因する断線監視用のフォトカプラ８３及び各電流制限抵抗８４・８５が設けられている。 
　そして、特別図柄出力回路７２は、スイッチングトランジスタ８１ａ〜８１ｊにＨｉレベル又はＬｏｗレベルの制御信号を任意に出力することで、左・中・右の７セグメントＬＥＤ３５ａ〜３５ｃを点灯制御して特別図柄の変動を制御するようになっている。一方、断線監視入力回路７３は、入力側配線Ｋのレベルを常時検出するようになっている。即ち、特別図柄表示器３５の上端部に位置するセグメント（図４中で「７」の番号を付記したセグメント）の消灯状態では、特別図柄表示器３５側から配線Ｊ側への通電がないためフォトカプラ８３の発光動作はない。これにより、配線Ｋは電流制限抵抗８５の＋５Ｖとなり、断線監視入力回路７３はＨｉレベルを検出する。一方、特別図柄表示器３５の「７」番のセグメントが点灯する場合、言い換えればスイッチングトランジスタ８１ｊにＨｉレベルの制御信号が出力された状態で、特別図柄表示器３５側から配線Ｊ側に通電がある場合には、この通電に基づくフォトカプラ８３の発光動作によって配線イ側から配線ロ側に電流が流れ、断線監視入力回路７３は配線ＫのＬｏｗレベルを検出する。 
　次に、上記した断線監視入力回路７３の配線Ｋのレベル検出に伴って行われる断線監視動作について図５及び図６を参照して説明する。なお、図５及び図６の各タイムチャートは、左・中・右の７セグメントＬＥＤ３５ａ〜３５ｃに「０・１・２」の図柄を表示した場合での正常時及び断線時の各配線レベルを例示している。先ず、図５に示す正常時では、左図柄表示用のトランジスタ８１ｃ（配線Ｃ）及び「０」図柄表示用の各トランジスタ８１ｄ〜８１ｆ・８１ｈ〜８１ｊ（配線Ｄ〜Ｆ・Ｈ〜Ｊ）にＨｉレベルの制御信号を出力することで７セグメントＬＥＤ３５ａに「０」図柄を表示する。なお、このとき、断線監視入力回路７３は、配線ＫのＬｏｗレベルを検出している。その後は、中図柄表示用のトランジスタ８１ｂ（配線Ｂ）及び「１」図柄表示用の各トランジスタ８１ｅ・８１ｈ（配線Ｅ・Ｈ）にＨｉレベルの制御信号を出力することで７セグメントＬＥＤ３５ｂに「１」図柄を表示し、次いで右図柄表示用のトランジスタ８１ａ（配線Ａ）及び「２」図柄表示用の各トランジスタ８１ｄ・８１ｆ〜８１ｈ・８１ｊ（配線Ｄ・Ｆ〜Ｈ・Ｊ）にＨｉレベルの制御信号を出力することで７セグメントＬＥＤ３５ｃに「２」図柄を表示する。なお、断線監視入力回路７３は、「１」図柄表示時には配線ＫのＨｉレベルを検出する一方、「２」図柄表示時には配線ＫのＬｏｗレベルを検出するようになっている。そして、上記した各種トランジスタ８１ａ〜８１ｊへのＨｉレベル信号の出力を繰り返し行うことで、左・中・右の７セグメントＬＥＤ３５ａ〜３５ｃに「０・１・２」の図柄があたかも停止表示しているような表示制御を行う。また、このような正常時の表示制御において、断線監視入力回路７３は、配線Ｋ及び配線Ｊのレベルが常時反対のレベルであることを検出することによってコネクタ８０の抜けがない特別図柄表示器３５の正常な表示状態を検出している。これに対して、図６に示す断線時では、「０・１・２」の図柄を表示制御すべく正常時と同様に各種トランジスタ８１ａ〜８１ｊにＨｉレベル信号を出力しても、コネクタ８０の抜けによって特別図柄表示器３５側から配線Ｊ側への通電が起こらないため常に配線ＫがＨｉレベルとなる。そして、断線監視入力回路７３は、配線ＪのＨｉレベル時に配線ＫのＨｉレベルを検出することによってコネクタ８０の抜けに起因する特別図柄表示器３５の断線状態を検出する。また、本実施形態では、「７」番のセグメントのみを監視しているがこれに限らず、いずれのセグメントでも又は全てのセグメントを監視するようにしてもよい。」（段落【００２６】〜【００３０】）
　　　　　　　　　　　　　　　　　　　　　　
（記載事項ｅ）
「そして、図９（Ａ）に示すように、Ｃ＿ＲＮＤ１から抽出された値が「１」のときは、次にＣ＿ＲＮＤ２の抽出値の判定を行い、その抽出値が「１」であり大当りと判定されると、Ｃ＿ＲＮＤ＿ＬＩＮＥ（０〜８９）のデータにより大当りとなる図柄配列を決定し、特別図柄の大当り図柄及び飾り図柄の大当り対応図柄を可変表示装置３０に表示する。一方、Ｃ＿ＲＮＤ１あるいはＣ＿ＲＮＤ２で「１」以外の値が抽出されて外れと判定されると、Ｃ＿ＲＮＤ＿Ｌ・Ｃ・Ｒからの各抽出値に対応する特別図柄の組合せを外れ図柄として、また、Ｃ＿ＲＮＤ＿ＺＵ１〜９からの各抽出値に対応する飾り図柄の組合せを外れ図柄として可変表示装置３０に表示する。」（段落【００３４】）
　　　　　　　　　　　　　　　　　　　　
（記載事項ｆ）
 「以上のように、本実施形態に係る遊技機は、特別図柄出力回路７２を介して基本回路６０側から特別図柄表示器３５に出力される表示制御信号を断線監視入力回路７３によって監視し、この断線監視入力回路７３が表示制御信号の遮断（断線）を検出すると、前記図７のエラーチェック処理に基づいて所定の遊技動作を停止制御するようになっている。従って、特別図柄表示器３５に出力される表示制御信号が遮断された場合には遊技制御が停止するため、正常な状態での遊技を保証することができ、ひいては表示制御信号の遮断に伴うトラブルを未然に回避するようになっている。」（段落【００４７】） 
 　　　　　　　　　　　　　　　　　　　　　　　　　　　　 
　これらの記載、及び、図面、並びに、
（ア）「基本回路６０は、入力回路６１を介して始動玉検出器７、通過玉検出器１０、特定玉検出器１７、入賞玉検出器１８からの検出信号が入力され、アドレスデコード回路６２から基本回路６０にチップセレクト信号が与えられる。また、電源投入時に初期リセット回路６３から基本回路６０にリセット信号が与えられ、所定時間毎に定期リセット回路６４から基本回路６０に定期リセット信号が与えられる。
一方、基本回路６０からは、以下の装置及び回路に制御信号が与えられる。即ち、ＬＣＤ回路６４を介してＬＣＤ表示器３３（図２中には、ＬＣＤ表示装置と記載）に表示制御信号が与えられ、ＬＥＤ回路６５を介して普通図柄表示器３６、回数表示器２０、個数表示器２１、普通図柄記憶表示ＬＥＤ３７、特別図柄記憶表示ＬＥＤ４１、及び各種ＬＥＤ１１・１９・４２・４３に表示駆動信号が与えられ、ソレノイド回路６６を介して各ソレノイド５・１５に駆動信号が与えられ、ランプ回路６７を介して飾りランプ２２、風車ランプ２４ａ、及びサイドランプ２５ａに表示制御信号が与えられ、音声合成回路６８及び音量増幅回路６９を介してスピーカ２８に音声信号が与えられる。なお、ランプ回路６７からは各種のランプ制御データが出力されることで、上記した構成部材以外のランプを表示制御するようになっている。さらに、基本回路６０は、情報出力回路７０を介して外部（ホールコンピュータや呼び出しランプ等）に有効始動情報、大当り情報、及び確変変動情報を出力し、賞球個数信号出力回路７１を介して外部に各種の賞球個数信号を出力している。また、基本回路６０には、特別図柄表示器３５に表示制御信号を出力するための特別図柄出力回路７２と、該特別図柄出力回路７２及び特別図柄表示器３５間の断線を監視するための断線監視入力回路７３と、が接続して設けられている。・・・特別図柄出力回路７２は、スイッチングトランジスタ８１ａ〜８１ｊにＨｉレベル又はＬｏｗレベルの制御信号を任意に出力することで、左・中・右の７セグメントＬＥＤ３５ａ〜３５ｃを点灯制御して特別図柄の変動を制御するようになっている。・・・スイッチングトランジスタ８１ｊにＨｉレベルの制御信号が出力された状態で、特別図柄表示器３５側から配線Ｊ側に通電がある場合には、この通電に基づくフォトカプラ８３の発光動作によって配線イ側から配線ロ側に電流が流れ、断線監視入力回路７３は配線ＫのＬｏｗレベルを検出する。」（記載事項ｄ）という記載から、(i)基本回路６０が、「遊技の進行」を「制御する」ことが明らかなこと、(ii)特別図柄出力回路７２が、基本回路６０からの制御信号を「入力」して「制御対象」となる特別図柄表示器３５を「作動させる」ことが明らかなこと、(iii)「制御信号伝達手段（３）」が、基本回路６０と特別図柄出力回路７２とを「結ぶ」ことが明らかなこと、(iv)フォトカプラ８３が、制御信号伝達手段（３）により「送られてくる」、特別図柄表示器３５を作動させるための、「特別図柄出力回路７２と特別図柄表示器３５との間における」制御信号を「取り出す」ことが明らかなこと、
　　　　　　　　　　　　　　　　　　　　　　　　
を勘案すれば、引用例には、次の発明（以下、「引用発明」という。）が記載されていると認められる。
　　　　　　　　　　　　　　　　　　　　　
「　遊技の進行を制御する基本回路６０、この基本回路６０からの制御信号を入力して制御対象となる特別図柄表示器３５を作動させる特別図柄出力回路７２、これら基本回路６０と特別図柄出力回路７２とを結ぶ制御信号伝達手段（３）を含む遊技機において、
　前記制御信号伝達手段（３）により送られてくる、前記特別図柄表示器３５を作動させるための制御信号を取り出すフォトカプラ８３を備え、このフォトカプラ８３により、前記特別図柄出力回路７２と特別図柄表示器３５との間における前記制御信号を取り出すようにして断線を監視する遊技機。」
　　　　　　　　　　　　　　　　　　　　　　　
３．対比 
　そこで、本願発明と引用発明とを比較すると、引用発明のａ「基本回路６０」、b「特別図柄表示器３５」、c「特別図柄出力回路７２」、d「フォトカプラ８３」は、それぞれ、本願発明のA「主制御手段（１）」、B「出力手段（２０）」、C「周辺手段（２）」、D「制御信号取出手段（４）」に相当する。
　　　　　　　　　　　　　　　　　　　
　よって、両者は、
　　　　　　　　　　　　　　　　　　　　　　　
「　遊技の進行を制御する主制御手段（１）、この主制御手段（１）からの制御信号を入力して制御対象となる出力手段（２０）を作動させる周辺手段（２）、これら主制御手段（１）と周辺手段(２)とを結ぶ制御信号伝達手段（３）を含む遊技機において、
　制御信号伝達手段（３）により送られてくる、前記出力手段（２０）を作動させるための制御信号を取り出す制御信号取出手段（４）を備え、この制御信号取出手段（４）により、前記制御信号を取り出すようにした遊技機。」
　　　　　　　　　　　　　　　　　　　　　
である点で一致し、以下の点で相違する。
　　　　　　　　　　　　　　　　　　　　　
　相違点
　本願発明では、制御信号取出手段（４）が、制御信号伝達手段（３）の周辺手段（２）に対する接続点における制御信号を外部に取り出すのに対して、引用発明では、制御信号取出手段（４）が、特別図柄出力回路７２と特別図柄表示器３５との間における制御信号を取り出す点。
　　　　　　　　　　　　　
４．判断
　上記相違点について検討する。
　制御信号伝達手段（３）により送られてくる、制御信号伝達手段（３）の周辺手段（２）に対する接続点における制御信号を外部に取り出して、制御信号伝達手段（３）の断線等を検知することは周知技術（例えば、特開平４−２５９５５号公報、実願平３−４７９９３号（実開平５−２１９０号）のＣＤ−ＲＯＭを参照。）であるから、制御信号伝達手段（３）の断線等を検知するために、引用発明において、特別図柄出力回路７２と特別図柄表示器３５との間における制御信号に代えて、前記周知技術の如く、制御信号伝達手段（３）の周辺手段（２）に対する接続点における制御信号を外部に取り出して相違点に係る本願発明の如く構成することは、当業者が容易に想到できることである。
　　　　　　　　　　　　　　　　　　　　　　　　　　　　　　
５．本願発明の作用効果について
　本願発明の奏する効果は、引用発明に前記周知技術を適用したものから当業者が容易に予測し得るものであって、格別顕著なものではない。
　　　　　　　　　　　　　　　 　
６．むすび
　以上のとおり、本願発明は、引用発明及び前記周知技術に基づいて当業者が容易に発明をすることができたものであるから、特許法第２９条第２項の規定により特許を受けることができない。
　したがって、本願は拒絶をすべきものである。　　
　よって、結論のとおり審決する。